(57)【要約】      （修正有） 【課題】妨害波の影響を考慮しつつ、感度及び耐妨害特性の両立を図れるチューナ入力回路及び受信装置の提供。【解決手段】アンテナ１と高周波増幅器２との間に結合コンデンサＣ２を接続するとともに、結合コンデンサＣ２と直列接続されたスイッチＳＷ１を設け、周波数変換器３にて生成された中間周波信号を電界強度検出部５に送ることにより、受信信号の電界強度の検出を行い、電界強度の入力レベルに基づいてスイッチＳＷ１のオン／オフを行うことにより、高周波増幅器２との間の結合度を制御する。【選択図】図１
2005295435.tif 000002
【特許請求の範囲】
【請求項１】
電波を受信するアンテナと、
前記アンテナにて受信された受信信号から所定の周波数を選択する同調回路と、
前記同調回路にて選択された信号の高周波増幅を行う高周波増幅器と、
前記高周波増幅器にて増幅された受信信号を中間周波信号に変換する周波数変換部と、
前記中間周波信号に基づいて電界強度を検出する電界強度検出部と、
前記電界強度検出部にて検出された電界強度に基づいて、前記アンテナと前記高周波増幅器との間の結合度を制御する結合回路とを備えることを特徴とするチューナ入力回路。
【請求項２】
前記同調回路は、インダクタと、前記インダクタに並列接続された可変容量コンデンサとを備え、
前記結合回路は、前記高周波増幅器とアンテナとの間に接続されたコンデンサと、前記電界強度検出部にて検出された電界強度に基づいて、前記コンデンサと前記高周波増幅器との間の接続のオン／オフを行うスイッチング手段とを備えることを特徴とする請求項１記載のチューナ入力回路。
【請求項３】
前記同調回路は、中間タップが設けられたインダクタと、前記インダクタに並列接続された可変容量コンデンサとを備え、
前記結合回路は、前記電界強度検出部にて検出された電界強度に基づいて前記中間タップの位置を切り替えるスイッチング手段を備えることを特徴とする請求項１記載のチューナ入力回路。
【請求項４】
前記電界強度が弱い場合は電界強度が強い場合に比べて前記結合度を上昇させることを特徴とする請求項１から３のいずれか１項記載のチューナ入力回路。
【請求項５】
電波を受信するアンテナと、
前記アンテナにて受信された受信信号から所定の周波数を選択する同調回路と、
前記同調回路にて選択された信号の高周波増幅を行う高周波増幅器と、
前記高周波増幅器にて増幅された受信信号を中間周波信号に変換する周波数変換部と、
前記周波数変換部にて変換された中間周波信号を復調する復調部と、
前記復調部にて復調された信号に基づいて前記受信信号の受信品質を評価する受信品質評価回路と、
前記受信品質の評価結果に基づいて、前記アンテナと前記高周波増幅器との間の結合度を制御する結合回路とを備えることを特徴とするチューナ入力回路。
【請求項６】
前記同調回路は、インダクタと、前記インダクタに並列接続された可変容量コンデンサとを備え、
前記結合回路は、前記同調回路とアンテナとの間に接続されたコンデンサと、前記受信品質の評価結果に基づいて、前記コンデンサと前記高周波増幅器との間の接続のオン／オフを行うスイッチング手段とを備えることを特徴とする請求項５記載のチューナ入力回路。
【請求項７】
前記同調回路は、中間タップが設けられたインダクタと、前記インダクタに並列接続された可変容量コンデンサとを備え、
前記結合回路は、前記受信品質の評価結果に基づいて前記中間タップの位置を切り替えるスイッチング手段を備えることを特徴とする請求項５記載のチューナ入力回路。
【請求項８】
前記受信品質が悪い場合は受信品質が良い場合に比べて前記結合度を上昇させることを特徴とする請求項５から７のいずれか１項記載のチューナ入力回路。
【請求項９】
請求項１から８のいずれか１項記載のチューナ入力回路を備えることを特徴とする受信装置。
【発明の詳細な説明】
【技術分野】
【０００１】
本発明はチューナ入力回路および受信装置に関し、特に、テレビや無線機などに用いられるチューナの感度および耐妨害特性の両立を図る方法に適用して好適なものである。
【背景技術】
【０００２】
従来のテレビジョンチューナにおけるＵＨＦ帯の同調特性では、低域側では、帯域が狭くなるため、選択度が良くなり耐妨害特性が向上するものの、損失が増加するため、ＮＦ（雑音指数）が悪化し感度が劣化する。一方、高域側では、損失が減少するため、ＮＦ（雑音指数）が良くなり感度が向上するものの、帯域が広くなるため、選択度が悪化し耐妨害特性が劣化する。
【０００３】
ここで、特許文献１には、ＵＨＦ帯の所定周波数範囲で同調周波数が変化するＵＨＦ同調回路に直列にインピーダンス手段を挿入し、ＵＨＦ帯の所定周波数範囲では、周波数が高くなるに従ってインピーダンス手段のインピーダンスを大きくすることにより、同調回路のバンド幅をＵＨＦ帯の低域から高域まで一定とし、高域のテレビジョン信号を受信する時の隣接チャンネルによる妨害を排除するとともに、低域のテレビジョン信号を受信する時のＮＦを改善する方法が開示されている。
【０００４】
また、特許文献２には、受信機のチューナにおいて、ＡＧＣ回路に組み込むダイオードの動作点に差をつけることにより、入力レベルに対して出力レベルの安定化を図る方法が開示されている。
また、特許文献３には、選局電圧によって容量が変化する結合回路を、インピーダンス変換素子を介して高周波同調回路に接続し、選局電圧が高い時には小さい結合度にて同調出力を次段の高周波同調回路に結合するとともに、選局電圧が低い時には大きい結合度にて同調出力を次段の高周波同調回路に結合するにより、選択度を向上させるとともに、受信帯域に渡って感度特性を均一化させる方法が開示されている。
【特許文献１】特開２００２−１７１１８５号公報
【特許文献２】特開２００２−３３００４１号公報
【特許文献３】特開平５−２１８８９３号公報
【発明の開示】
【発明が解決しようとする課題】
【０００５】
しかしながら、特許文献１に開示された方法では、耐妨害特性とＮＦとはトレードオフの関係にあり、全ての受信帯域に渡ってＮＦおよび耐妨害特性を改善することができないという問題があった。
また、特許文献２に開示された方法では、電界強度によって利得を単に変化させているだけなので、帯域特性を変化させることができず、耐妨害特性を向上させることができないという問題があった。また、利得可変素子としてＰＩＮダイオードが用いられているため、電流が流れ消費電力が増大するとともに、強電界時にはＰＩＮダイオード自体による歪が発生するという問題があった。
【０００６】
また、特許文献３に開示された方法では、選局周波数に基づいて結合度を変化させているので、妨害波の影響は考慮されていない。このため、電界強度の入力レベルによっては、結合時の挿入損失が大きくなり過ぎてＮＦが悪化したり、結合度が大きくなり過ぎて選択度が劣化したりするという問題があった。
そこで、本発明の目的は、妨害波の影響を考慮しつつ、感度および耐妨害特性の両立を図ることが可能なチューナ入力回路および受信装置を提供することである。
【課題を解決するための手段】
【０００７】
上述した課題を解決するために、本発明の一態様に係るチューナ入力回路によれば、電波を受信するアンテナと、前記アンテナにて受信された受信信号から所定の周波数を選択する同調回路と、前記同調回路にて選択された信号の高周波増幅を行う高周波増幅器と、前記高周波増幅器にて増幅された受信信号を中間周波信号に変換する周波数変換部と、前記中間周波信号に基づいて電界強度を検出する電界強度検出部と、前記電界強度検出部にて検出された電界強度に基づいて、前記アンテナと前記高周波増幅器との間の結合度を制御する結合回路とを備えることを特徴とする。
【０００８】
これにより、電界強度の入力レベルに基づいて、アンテナと高周波増幅器との間の結合度を制御することが可能となり、妨害波の影響を考慮しつつ、アンテナと高周波増幅器との間の結合度を調整することができる。このため、特定の帯域における耐妨害特性とＮＦとのトレードオフを行う必要がなくなり、全帯域に渡って感度および耐妨害特性の両立を図ることが可能となる。
【０００９】
また、本発明の一態様に係るチューナ入力回路によれば、前記同調回路は、インダクタと、前記インダクタに並列接続された可変容量コンデンサとを備え、前記結合回路は、前記同調回路とアンテナとの間に接続されたコンデンサと、前記電界強度検出部にて検出された電界強度に基づいて、前記コンデンサと前記高周波増幅器との間の接続のオン／オフを行うスイッチング手段とを備えることを特徴とする。
【００１０】
これにより、コンデンサのオン／オフ制御を行うことで、アンテナと高周波増幅器との間の結合度を制御することが可能となり、消費電力の増大を抑制しつつ、感度および耐妨害特性の両立を図ることが可能となるとともに、回路構成の複雑化を抑制することを可能として、コストおよびサイズの増大を抑制することができる。
また、本発明の一態様に係るチューナ入力回路によれば、前記同調回路は、中間タップが設けられたインダクタと、前記インダクタに並列接続された可変容量コンデンサとを備え、前記結合回路は、前記電界強度検出部にて検出された電界強度に基づいて前記中間タップの位置を切り替えるスイッチング手段を備えることを特徴とする。
【００１１】
これにより、中間タップの位置を切り替えることで、結合度を制御することが可能となり、消費電力の増大を抑制しつつ、感度および耐妨害特性の両立を図ることが可能となるとともに、回路構成の複雑化を抑制することを可能として、コストおよびサイズの増大を抑制することができる。
また、本発明の一態様に係るチューナ入力回路によれば、前記電界強度が弱い場合は電界強度が強い場合に比べて前記結合度を上昇させることを特徴とする。
【００１２】
これにより、電界強度が弱い時は、結合度を上昇させて挿入損失を減らすことが可能となり、ＮＦを良くして感度を向上させることが可能となる。また、結合度を上昇させることで、選択度が悪化し耐妨害特性が劣化した場合においても、電界強度が弱いため、妨害波の電界も弱くなり、妨害波の影響による受信品質の劣化を抑制することができる。
一方、電界強度が強い時は、結合度を下降させて選択度を向上させることが可能となり、耐妨害特性を向上させることが可能となる。また、結合度を下降させることで、挿入損失が増大し、ＮＦが劣化して感度が低下した場合においても、電界強度が強いため、受信波の電界も強くなり、感度の低下による受信品質の劣化を抑制することができる。
【００１３】
また、本発明の一態様に係るチューナ入力回路によれば、電波を受信するアンテナと、前記アンテナにて受信された受信信号から所定の周波数を選択する同調回路と、前記同調回路にて選択された信号の高周波増幅を行う高周波増幅器と、前記高周波増幅器にて増幅された受信信号を中間周波信号に変換する周波数変換部と、前記周波数変換部にて変換された中間周波信号を復調する復調部と、前記復調部にて復調された信号に基づいて前記受信信号の受信品質を評価する受信品質評価回路と、前記同調回路の前段に接続され、前記受信品質の評価結果に基づいて、前記アンテナと前記高周波増幅器との間の結合度を制御する結合回路とを備えることを特徴とする。
【００１４】
これにより、受信品質に基づいて、アンテナと高周波増幅器との間の結合度を制御することが可能となり、周囲の受信状況の変化に対応しつつ、アンテナと高周波増幅器との間の結合度を調整することができる。このため、特定の帯域における耐妨害特性とＮＦとのトレードオフを行う必要がなくなり、様々の環境の変化に対応しつつ、感度および耐妨害特性の両立を図ることが可能となる。
【００１５】
また、本発明の一態様に係るチューナ入力回路によれば、前記同調回路は、インダクタと、前記インダクタに並列接続された可変容量コンデンサとを備え、前記結合回路は、前記同調回路とアンテナとの間に接続されたコンデンサと、前記受信品質の評価結果に基づいて、前記コンデンサと前記高周波増幅器との間の接続のオン／オフを行うスイッチング手段とを備えることを特徴とする
これにより、コンデンサのオン／オフ制御を行うことで、アンテナと高周波増幅器との間の結合度を制御することが可能となり、消費電力の増大を抑制しつつ、感度および耐妨害特性の両立を図ることが可能となる。
【００１６】
また、本発明の一態様に係るチューナ入力回路によれば、前記同調回路は、中間タップが設けられたインダクタと、前記インダクタに並列接続された可変容量コンデンサとを備え、前記結合回路は、前記受信品質の評価結果に基づいて前記中間タップの位置を切り替えるスイッチング手段を備えることを特徴とする。
これにより、中間タップの位置を切り替えることで、結合度を制御することが可能となり、消費電力の増大を抑制しつつ、感度および耐妨害特性の両立を図ることが可能となる。
【００１７】
また、本発明の一態様に係るチューナ入力回路によれば、前記受信品質が悪い場合は受信品質が良い場合に比べて前記結合度を上昇させることを特徴とする。
これにより、受信品質が悪い時は、結合度を上昇させて挿入損失を減らすことが可能となる。このため、ＮＦを良くして感度を向上させることが可能となり、受信品質を向上させることができる。一方、受信品質が良い時は、結合度を下降させて選択度を向上させることが可能となり、受信品質の劣化を抑制しつつ、耐妨害特性を向上させることが可能となる。
【００１８】
また、本発明の一態様に係る受信装置によれば、上述したいずれかのチューナ入力回路を備えることを特徴とする。
これにより、テレビや無線機などに用いられるチューナの感度および耐妨害特性の両立を図ることができる。
【発明を実施するための最良の形態】
【００１９】
以下、本発明の実施形態に係るチューナ入力回路について図面を参照しながら説明する。
図１は、本発明の第１実施形態に係るチューナ入力回路の概略構成を示すブロック図である。
図１において、受信装置には、電波を受信するアンテナ１、受信信号を増幅する高周波増幅器２、局部発振器４にて生成された局部発振信号を受信信号に混合することにより、受信信号を中間周波信号に変換する周波数変換器３、局部発振信号を生成する局部発振器４、中間周波信号に基づいて電界強度を検出する電界強度検出部５、インダクタＬ１、Ｌ２、結合コンデンサＣ１、Ｃ２、可変容量素子ＴＣ１およびスイッチＳＷ１が設けられている。なお、アンテナ１にて受信される受信信号は、アナログテレビ放送または地上デジタル放送などを挙げることができ、周波数帯としては、ＶＨＦ帯またはＵＨＦ帯のいずれでもよい。
【００２０】
ここで、インダクタＬ２と可変容量素子ＴＣ１とは並列接続され、同調回路Ａ１を構成することができる。そして、インダクタＬ２および可変容量素子ＴＣ１からなる同調回路Ａ１は、高周波増幅器２と接地点との間に接続されている。また、アンテナ１と高周波増幅器２との間には、並列接続された結合コンデンサＣ１、Ｃ２が接続されている。ここで、結合コンデンサＣ２には、スイッチＳＷ１が直列接続されている。なお、結合コンデンサＣ１は、高周波増幅器２との間の結合度を確保したり、補ったりするものである。また、結合コンデンサＣ２は、スイッチＳＷ１のオン・オフに伴って、高周波増幅器２との間の結合度を増減させるものである。また、アンテナ１と接地点との間には、インダクタＬ１が接続されている。ここで、インダクタＬ１は、同調回路Ａ１のインピーダンスをステップダウンさせることにより、入力インピーダンスを５０Ωまたは７５Ωに整合させるものである。なお、インダクタＬ１、Ｌ２は、相互インダクタンスによりＭ結合させるようにしてもよい。
【００２１】
そして、アンテナ１にて受信された受信信号は、インダクタＬ１および結合コンデンサＣ１を介し同調回路Ａ１に入力され、希望波が選択される。そして、同調回路Ａ１にて選択された信号は、高周波増幅器２にて増幅が行われた後、周波数変換器３に送られる。また、局部発振器４では局部発振信号が生成され、局部発振信号が周波数変換器３に出力される。そして、高周波増幅器２から出力された信号が周波数変換器３に送られると、周波数変換器３にて局部発振信号と混合され、高周波増幅器２から出力された信号が中間周波信号に変換される。そして、周波数変換器３にて生成された中間周波信号は、電界強度検出部５に送られ、電界強度検出部５にて受信信号の電界強度の検出が行われる。そして、電界強度検出部５は、電界強度の入力レベルに基づいてスイッチＳＷ１のオン／オフを行うことにより、アンテナ１と高周波増幅器２との間の結合度を制御する。
【００２２】
これにより、妨害波の影響を考慮しつつ、アンテナ１と高周波増幅器２との間の結合度を調整することができる。このため、特定の帯域における耐妨害特性とＮＦとのトレードオフを行う必要がなくなり、全帯域に渡って感度および耐妨害特性の両立を図ることが可能となる。
ここで、電界強度検出部５にて検出された電界強度が弱い時は、スイッチＳＷ１をオンするとともに、電界強度が強い時は、スイッチＳＷ１をオフすることができる。
【００２３】
これにより、電界強度が弱い時は、結合度を上昇させて挿入損失を減らすことが可能となり、ＮＦを良くして感度を向上させることが可能となる。また、結合度を上昇させることで、選択度が悪化し耐妨害特性が劣化した場合においても、弱電界地域にて受信しているため、妨害波の電界も弱くなり、妨害波の影響による受信品質の劣化を抑制することができる。
【００２４】
一方、電界強度が強い時は、結合度を下降させて選択度を向上させることが可能となり、耐妨害特性を向上させることが可能となる。また、結合度を下降させることで、挿入損失が増大し、ＮＦが劣化して感度が低下した場合においても、強電界地域にて受信しているため、受信波の電界も強くなり、感度の低下による受信品質の劣化を抑制することができる。
【００２５】
図２は、本発明の実施形態に係る結合度と出力電圧との関係を示す図である。なお、プロットＰ１は結合度が小さい場合、プロットＰ２は結合度が大きい場合を示す。
図２において、アンテナ１と高周波増幅器２との間の結合度を上げることにより、感度が向上するものの、帯域がブロードになり、選択度が悪化する。一方、結合度を下げることにより、帯域がシャープになり、選択度が向上するものの、感度が劣化する。このため、電界強度の入力レベルに基づいて結合度を制御することにより、感度および耐妨害特性の両立を図ることが可能となる。
【００２６】
なお、上述した第１実施形態では、スイッチＳＷ１のオン／オフによって結合コンデンサＣ２の結合を制御する方法について説明したが、結合コンデンサＣ２およびスイッチＳＷ１の代わりに、可変容量コンデンサなどを用いてもよく、電界強度検出部５にて検出された電界強度に基づいて、可変容量コンデンサの容量を制御するようにしてもよい。
図３は、本発明の第２実施形態に係るチューナ入力回路の概略構成を示すブロック図である。
【００２７】
図３において、受信装置には、アンテナ１１、高周波増幅器１２、周波数変換器１３、局部発振器１４、電界強度検出部１５、インダクタＬ１１〜Ｌ１３、可変容量素子ＴＣ１１およびスイッチＳＷ２が設けられている。
ここで、インダクタＬ１１〜Ｌ１３は直列接続されるとともに、直列接続されたインダクタＬ１１〜Ｌ１３と可変容量素子ＴＣ１１とは並列接続され、同調回路Ａ２を構成することができる。そして、インダクタＬ１１〜Ｌ１３および可変容量素子ＴＣ１１からなる同調回路Ａ２は、高周波増幅器１２と接地点との間に接続されている。また、インダクタＬＬ１１〜Ｌ１３には中間タップが設けられるとともに、中間タップの位置を切り替えるスイッチＳＷ２が設けられている。
【００２８】
そして、アンテナ１１にて受信された受信信号は同調回路Ａ２に入力され、希望波が選択される。そして、同調回路Ａ２にて選択された信号は、高周波増幅器１２にて増幅が行われた後、周波数変換器１３に送られる。そして、高周波増幅器１２から出力された信号が周波数変換器１３に送られると、局部発振器１４から出力された局部発振信号と混合され、高周波増幅器１２から出力された信号が中間周波信号に変換される。そして、周波数変換器１３にて生成された中間周波信号は、電界強度検出部１５に送られ、電界強度検出部１５にて受信信号の電界強度の検出が行われる。そして、電界強度検出部１５は、電界強度の入力レベルに基づいてスイッチＳＷ２を切り替えることにより、アンテナ１１と高周波増幅器１２との間の結合度を制御することができる。
【００２９】
これにより、同調回路Ａ２に設けられたインダクタＬ１１〜Ｌ１３の中間タップの位置を切り替えることで、アンテナ１１と高周波増幅器１２との間の結合度を制御することが可能となり、消費電力の増大を抑制しつつ、感度および耐妨害特性の両立を図ることが可能となるとともに、回路構成の複雑化を抑制することを可能として、コストおよびサイズの増大を抑制することができる。
【００３０】
図４は、本発明の第３実施形態に係るチューナ入力回路の概略構成を示すブロック図である。
図４において、アンテナ２１、高周波増幅器２２、周波数変換器２３、局部発振器２４、インダクタＬ２１、Ｌ２２、結合コンデンサＣ２１、Ｃ２２、可変容量素子ＴＣ２１、スイッチＳＷ３、ＯＦＤＭ（Ｏｒｔｈｏｇｏｎａｌ  Ｆｒｅｑｕｅｎｃｙ  Ｄｉｖｉｓｉｏｎ  Ｍｕｔｉｐｌｅｘｉｎｇ）復調処理を行うＯＦＤＭ復調部２５、ＯＦＤＭ復調部２５で復調されたデジタル信号の誤り訂正を行う誤り訂正部２６、ＭＰＥＧ方式による復調処理を行うＭＰＥＧ復調部２７、誤り訂正部２６にて誤り訂正された信号の誤り率を検出する誤り率検出部２８、誤り率検出部２８で検出された誤り率を誤り率基準値Ｓｔｈと比較する比較器２９が設けられている。
【００３１】
ここで、インダクタＬ２２と可変容量素子ＴＣ２１とは並列接続され、同調回路Ａ３を構成することができる。そして、インダクタＬ２２および可変容量素子ＴＣ２１からなる同調回路Ａ３は、高周波増幅器２２と接地点との間に接続されている。また、アンテナ２１と高周波増幅器２２との間には、並列接続された結合コンデンサＣ２１、Ｃ２２が接続されている。また、アンテナ２１と接地点との間には、インダクタＬ２１が接続されている。
【００３２】
そして、アンテナ２１にて受信された受信信号は、インダクタＬ２１および結合コンデンサＣ２１を介し同調回路Ａ３に入力され、希望波が選択される。そして、同調回路Ａ３にて選択された信号は、高周波増幅器２２にて増幅が行われた後、周波数変換器２３に送られる。そして、高周波増幅器２２から出力された信号が周波数変換器２３に送られると、局部発振器２４から出力された局部発振信号と混合され、高周波増幅器２２から出力された信号が中間周波信号に変換される。そして、周波数変換器２３にて生成された中間周波信号は、ＯＦＤＭ復調部２５にて復調処理が行われる。そして、ＯＦＤＭ復調部２５にて復調されたデジタル信号は、誤り訂正部２６にて誤り訂正が行われた後、ＭＰＥＧ復調部２７にて映像信号および音声信号に復調される。
【００３３】
また、誤り率検出部２８は、誤り訂正部２６にて誤り訂正が行われると、その時の誤り率を検出する。そして、誤り率検出部２８にて誤り率が検出されると、比較器２９にて、誤り率検出部２８から送られた誤り率と誤り率基準値Ｓｔｈとの比較が行われる。そして、比較器２９は、誤り率検出部２８から送られた誤り率が誤り率基準値Ｓｔｈを越える場合、スイッチＳＷ３をオンすることにより、アンテナ２１と高周波増幅器２２との間の結合度を上昇させることができる。一方、誤り率検出部２８から送られた誤り率が誤り率基準値Ｓｔｈ以下の場合、スイッチＳＷ３をオフすることにより、結合度を降下させることができる。
【００３４】
これにより、受信品質が悪い時は、結合度を上昇させて挿入損失を減らすことが可能となる。このため、ＮＦを良くして感度を向上させることが可能となり、受信品質を向上させることができる。一方、受信品質が良い時は、結合度を下降させて選択度を向上させることが可能となり、受信品質の劣化を抑制しつつ、耐妨害特性を向上させることが可能となる。
【００３５】
なお、上述した第３実施形態では、ビット誤り率に基づいて結合度を制御する方法について説明したが、アナログ信号の受信では、信号対雑音比や歪率などを用いるようにしてもよい。
図５は、本発明の第４実施形態に係るチューナ入力回路の概略構成を示すブロック図である。
【００３６】
図５において、アンテナ３１、高周波増幅器３２、周波数変換器３３、局部発振器３４、ＯＦＤＭ復調部３５、誤り訂正部３６、ＭＰＥＧ復調部３７、誤り率検出部３８、比較器３９、インダクタＬ３１〜Ｌ３３、可変容量素子ＴＣ３１およびスイッチＳＷ４が設けられている。
ここで、インダクタＬ３１〜Ｌ３３は直列接続されるとともに、直列接続されたインダクタＬ３１〜Ｌ３３と可変容量素子ＴＣ３１とは並列接続され、同調回路Ａ４を構成することができる。そして、インダクタＬ３１〜Ｌ３３および可変容量素子ＴＣ３１からなる同調回路Ａ４は、高周波増幅器３２と接地点との間に接続されている。また、インダクタＬＬ３１〜Ｌ３３には中間タップが設けられるとともに、中間タップの位置を切り替えるスイッチＳＷ４が設けられている。
【００３７】
そして、アンテナ３１にて受信された受信信号は同調回路Ａ４に入力され、希望波が選択される。そして、同調回路Ａ４にて選択された信号は、高周波増幅器３２にて増幅が行われた後、周波数変換器３３に送られる。そして、高周波増幅器３２から出力された信号が周波数変換器３３に送られると、局部発振器３４から出力された局部発振信号と混合され、高周波増幅器３２から出力された信号が中間周波信号に変換される。そして、周波数変換器３３にて生成された中間周波信号は、ＯＦＤＭ復調部３５にて復調処理が行われる。そして、ＯＦＤＭ復調部３５にて復調されたデジタル信号は、誤り訂正部３６にて誤り訂正が行われた後、ＭＰＥＧ復調部３７にて映像信号および音声信号に復調される。
【００３８】
また、誤り率検出部３８は、誤り訂正部３６にて誤り訂正が行われると、その時の誤り率を検出する。そして、誤り率検出部３８にて誤り率が検出されると、比較器３９にて、誤り率検出部３８から送られた誤り率と誤り率基準値Ｓｔｈとの比較が行われる。そして、比較器３９は、誤り率検出部３８から送られた誤り率と誤り率基準値Ｓｔｈとの比較結果に基づいて、スイッチＳＷ４を切り替えることにより、アンテナ３１と高周波増幅器３２との間の結合度を制御することができる。
【００３９】
これにより、周囲の受信状況の変化に対応しつつ、アンテナ３１と高周波増幅器３２との間の結合度を制御することが可能となり、感度および耐妨害特性の両立を図ることが可能となるとともに、回路構成の複雑化を抑制することを可能として、コストおよびサイズの増大を抑制することができる。
【図面の簡単な説明】
【００４０】
【図１】第１実施形態に係るチューナ入力回路の概略構成を示すブロック図。
【図２】結合度と出力電圧との関係を示す図。
【図３】第２実施形態に係るチューナ入力回路の概略構成を示すブロック図。
【図４】第３実施形態に係るチューナ入力回路の概略構成を示すブロック図。
【図５】第４実施形態に係るチューナ入力回路の概略構成を示すブロック図。
【符号の説明】
【００４１】
１、１１、２１、３１  アンテナ、２、１２、２２、３２  高周波増幅器、３、１３、２３、３３  周波数変換器、４、１４、２４、３４  局部発振器、５、１５  電界強度検出部、Ａ１〜Ａ４  同調回路、Ｌ１、Ｌ２、Ｌ１１〜Ｌ１３、Ｌ２１、Ｌ２２、Ｌ３１〜Ｌ３３  インダクタ、Ｃ１、Ｃ２、Ｃ２１、Ｃ２２  結合コンデンサ、ＴＣ１、ＴＣ１１、ＴＣ２１、ＴＣ３１  可変容量素子、ＳＷ１〜ＳＷ４  スイッチ、２５、３５  ＯＦＤＭ復調部、２６、３６  誤り訂正部、２７、３７  ＭＰＥＧ復調部、２８、３８  誤り率検出部、２９、３９  比較器
【図１】
2005295435.tif 000003
【図２】
2005295435.tif 000004
【図３】
2005295435.tif 000005
【図４】
2005295435.tif 000006
【図５】
2005295435.tif 000007